(57)【要約】　【課題】　音声のデータの入出力機構を有するパーソナルコンピュータ等のデータ処理装置に関し、コンピュータの専門知識がなくても音声のデータを録音再生装置の操作に模した直感的な操作で容易に取り込むことができて操作性が良いデータ処理装置を提供する。　【解決手段】　音声のデータの入力に関わる操作部を備えた録音再生装置を模した図形を画面に表示する表示部１と、画面に表示された録音再生装置を模した図形の操作部を選択する指示部２と、指示部２により選択された操作部の表示位置を基に操作部の種類を特定し、この操作部に対する操作内容に応じた態様で音声のデータを入力するイラスト制御部３とを設ける。【選択図】　　　図１
2004070972.tif 000002
【特許請求の範囲】
【請求項１】
　画面に録音再生装置を模した図形を表示する表示手段と、
　画面に表示された録音再生装置を模した図形中の、現実の録音再生装置の複数種類の機能を実行させるべき操作部に対応する部分を選択及び／又は操作する選択操作手段と、
　前記録音再生装置を模した図形中の前記選択操作手段により選択された部分の表示位置を基に現実の録音再生装置の機能の種類を特定し、該特定された機能及び前記選択された部分に対する操作内容に応じた処理を処理対象の音声に施して入力する入力手段と
　を備えたことを特徴とするデータ処理装置。
【請求項２】
　前記選択された部分に対する操作内容に応じた態様で音声を出力する手段を備えた請求項１記載のデータ処理装置。
【発明の詳細な説明】
【技術分野】
【０００１】
　本発明は、音声の入出力機構を有するパーソナルコンピュータ等のデータ処理装置に関する。
【背景技術】
【０００２】
　たとえば画像データを例にとると、スキャナ，フィルムスキャナ等で読み取った写真，イラスト等の静止画を、画像の入出力機構を有する従来のデータ処理装置に取り込む場合、専用のソフトウェアを起動し、画像を取り込む前に、取り込む画像の高さ，幅，倍率等の属性値を設定する。この状態で画像の種類，画像の出力機器等が設定されると、データ処理装置はデフォルト値の高さ，幅，倍率等で画像を取り込む。
【特許文献１】特開平６−２９００１３号公報
【発明の開示】
【発明が解決しようとする課題】
【０００３】
　従来のデータ処理装置は以上のようであるので、たとえば画像の一部を取り込みたい場合、また一部を取り込んで拡大したい場合、明るさ，コントラスト等の他の属性を変更したい場合等は、上述のような属性値を変更しなければならない。しかし、画像の取り込みに習熟していない人、また文字の学習がまだ充分でない低学年の生徒，幼児等にとっては、属性値の変更操作が難しい。このような問題は音声データに関しても同様である。
【０００４】
　本発明はこのような問題点を解決するためになされたものであって、録音再生装置としてたとえばラジオカセットの図形の操作ボタンの選択で音声のデータを入出力するグラフィカルユーザインタフェースを設けることにより、コンピュータの専門知識がなくても音声のデータをラジオカセットの操作に模した直観的な操作で容易に取り込むことができて操作性が良いデータ処理装置の提供を目的とする。
【課題を解決するための手段】
【０００５】
　図１は本発明のデータ処理装置の原理説明図である。図中１は、音声のデータの入出力のグラフィカルユーザインタフェースとして、録音ボタン，停止ボタン，再生ボタン，レベル調整ダイアル等の操作部を有する録音再生装置のいちれいとしてのラジオカセットのイラストをビットマップディスプレイに表示する表示部である。マウス，ライトペン等のポインティングデバイスからなる指示部２はディスプレイ上の位置を選択指示し、また操作部を操作する手段である。
【０００６】
　イラスト制御部３は、イラストの操作部別のディスプレイ上の表示位置とその操作内容に応じたデータの入出力処理の内容とを対応付けて記憶しており、指示部２によって指示されたディスプレイ上の位置を検出し、指示された位置がラジオカセットのイラストの操作部の位置であるか否かを判定する。判定の結果、操作部の位置が選択指示されている場合は、その操作部の種類を特定し、操作部に対する操作内容に応じた態様でデータを入出力すべくデータ入力部５及びデータ出力部６に指示を与える。
【０００７】
　即ち、録音ボタンが選択指示された場合は音声の入力を開始させ、停止ボタンが選択指示された場合は音声の入出力を停止させ、再生ボタンが選択指示された場合は音声の出力を開始させ、レベル調整ダイアルが選択指示された場合はダイアルの操作に応じた音量で音声を入出力させる。
【０００８】
　データ入力部５は、イラスト制御部３から指示される入力態様に応じて、音響機器等からの音声を、録音ボタンが選択指示されてから停止ボタンが選択指示されるまで、所定の音量で入力する。主制御部４はデータ入力部５が入力した音声のデータを格納するとともに、各部間のデータの入出力を制御する。
【０００９】
　データ出力部６は、イラスト制御部３から指示される出力態様に応じて、音声を、再生ボタンが選択指示されてから停止ボタンが選択指示されるまで、所定の音量で出力する。
【００１０】
　従って、ユーザは、恰もラジオカセットを操作するかのように、マウス，ライトペン等のポインティングデバイスでディスプレイ上のラジオカセットのボタン等を選択指示するといった直観的な操作で音声のデータを、所要の入出力状態で入出力させることができる。
【発明の効果】
【００１１】
　以上のような本発明のデータ処理装置は、録音再生装置の図形の操作ボタンの選択で音声のデータを入出力するグラフィカルユーザインタフェースを設けたので、コンピュータの専門知識がなくても音声のデータを録音再生装置の操作に模した直観的な操作で容易に取り込むことができて操作性が良いという優れた効果を奏する。
【発明を実施するための最良の形態】
【００１２】
　図２は本発明のデータ処理装置における音声入出力のグラフィカルユーザインタフェースとしての録音再生装置の一例としてのラジオカセットのイラストの表示例である。
　ラジオカセットのイラスト12は、音声の入力を開始させる操作部である録音ボタン121 、音声の入出力を終了させる操作部である停止ボタン122 、音声の出力を開始させる操作部である再生ボタン123 、及び入出力する音声の音量を調整する操作部であるレベル調整ダイアル124 を備える。
【００１３】
　次に、本発明のデータ処理装置による音声入出力の動作を図３のフローチャートを基に説明する。
　レベル調整ダイアル124 が選択されたか否かをチェックし（Ｓ21）、選択された場合はその操作量に応じて入力又は出力の音量レベルを調整する（Ｓ22）。一方、レベル調整ダイアル124 が選択されない場合はステップＳ23に移行する。
【００１４】
　次に、録音ボタン121 が選択されたか否かをチェックし（Ｓ23）、選択された場合は音声の入力を開始し（Ｓ24）、停止ボタン122 が選択されるまで音声の入力を続け（Ｓ25）、停止ボタン122 が選択されると音声の入力を停止する（Ｓ26）。一方、ステップＳ23のチェックの結果、録音ボタン121 が選択されない場合はステップＳ27に移行する。
【００１５】
　ステップＳ23のチェックの結果、録音ボタン121 が選択されなかった場合は、再生ボタン123 が選択されたか否かをチェックし（Ｓ27）、選択された場合は音声の出力を開始し（Ｓ28）、停止ボタン122 が選択されるまで音声の入力を続け（Ｓ29）、停止ボタン122 が選択されると音声の出力を停止する（Ｓ30）。一方、ステップＳ27のチェックの結果、再生ボタン123 が選択されない場合は処理を終了する。
【図面の簡単な説明】
【００１６】
【図１】本発明の原理説明図である。
【図２】ラジオカセットのイラスト表示例である。
【図３】音声入出力のフローチャートである。
【符号の説明】
【００１７】
　１　表示部
　２　指示部
　３　イラスト制御部
　４　主制御部
　５　データ入力部
　６　データ出力部
【図１】
2004070972.tif 000003
【図２】
2004070972.tif 000004
【図３】
2004070972.tif 000005